(57)【要約】【課題】部品点数および配線材を少なくし、省スペース化および低コスト化を図る。【解決手段】第１の印加電圧Ｖ１ａ、Ｖ２ａ、…Ｖｎａで閉じる第１の電子スイッチＥ１ａ、Ｅ２ａ、…Ｅｎａおよび第２の印加電圧Ｖ１ｂ、Ｖ２ｂ、…Ｖｎｂで開く第２の電子スイッチＥ１ｂ、Ｅ２ｂ、…Ｅｎｂを直列接続したスイッチ回路Ｋ１、Ｋ２、…Ｋｎ並びに接点Ｓ１、Ｓ２、…Ｓｎを直列に接続した複数の複合回路Ｈ１、Ｈ２、…Ｈｎを１対の伝送線路Ｌに並列に接続し、伝送線路には、第１、第２の印加電圧を発生する電圧発生回路１１と、伝送線路に流れる電流を測定する電流検出回路１２と、電圧発生回路および電流検出回路に同期して接点の開閉状態を検出する接点状態検出回路１３とで構成された受信回路１が接続されている。【選択図】図１
2004234247.tif 000002
【特許請求の範囲】
【請求項１】
第１の印加電圧（Ｖ１ａ、Ｖ２ａ、・・・Ｖｎａ）で閉じる第１の電子スイッチ（Ｅ１ａ、Ｅ２ａ、・・・Ｅｎａ）および第２の印加電圧（Ｖ１ｂ、Ｖ２ｂ、・・・Ｖｎｂ）で開く第２の電子スイッチ（Ｅ１ｂ、Ｅ２ｂ、・・・Ｅｎｂ）を直列接続したスイッチ回路（Ｋ１、Ｋ２、・・・Ｋｎ）並びに火災検知器等の各種センサーの状態を表す接点（Ｓ１、Ｓ２、・・・Ｓｎ）を直列に接続した複数の複合回路（Ｈ１、Ｈ２、・・・Ｈｎ）を１対の伝送線路（Ｌ）に並列に接続し、
前記伝送線路には、前記第１、第２の印加電圧を発生する電圧発生回路（１１）と、前記伝送線路に流れる電流を測定する電流検出回路（１２）と、前記電圧発生回路および前記電流検出回路に同期して前記接点の開閉状態を検出する接点状態検出回路（１３）とで構成された受信回路（１）を接続したことを特徴とする個別接点状態監視装置。
【請求項２】
前記スイッチ回路に個別にダイオード（Ｄ１、Ｄ２、・・・Ｄｎ）を正接続および逆接続したスイッチ・ダイオード回路（Ｍ１、Ｍ２、・・・Ｍｎ／２、−Ｍ１、−Ｍ２、・・・−Ｍｎ／２）を用いて前記印加電圧に対して極性を持たせて前記伝送線路に接続し、接続できる接点数を２倍にすることを特徴とする請求項１記載の個別接点状態監視装置。
【請求項３】
前記接点（Ｓ１、Ｓ２、・・・Ｓｎ）に抵抗（Ｒ１、Ｒ２、・・・Ｒｎ）を並列に接続し、前記接点までの伝送線路の回線障害を確認する機能を有することを特徴とする請求項１または請求項２記載の個別接点状態監視装置。
【請求項４】
前記スイッチ・ダイオード回路のうち同一特性の回路を複数個接続してグループ化し、前記接点として火災検知器等の複数個のセンサーをグループ化された同一特性の回路に接続することを特徴とする請求項２または請求項３記載の個別接点状態監視装置。
【請求項５】
第１の印加電圧（Ｖ１ａ、Ｖ２ａ、・・・Ｖｎａ）で閉じる第１の電子スイッチ（Ｅ１ａ、Ｅ２ａ・・・Ｅｎａ）および第２の印加電圧（Ｖ１ｂ、Ｖ２ｂ、・・・Ｖｎｂ）で開く第２の電子スイッチ（Ｅ１ｂ、Ｅ２ｂ、・・・Ｅｎｂ）を直列接続したスイッチ回路（Ｋ１、Ｋ２、・・・Ｋｎ）を１対の伝送線路（Ｌ）に並列に接続し、
前記伝送線路には、前記第１、第２の印加電圧を発生する電圧発生回路（１１）と、前記伝送線路に流れる電流を測定する電流検出回路（１２）と、前記電圧発生回路および前記電流検出回路に同期して前記スイッチ回路の開閉状態を設定する接点状態設定回路（１３ａ）とで構成された受信回路（１ａ）を接続したことを特徴とする個別接点状態監視装置。
【発明の詳細な説明】
【０００１】
【発明の属する技術分野】
本発明は、個別接点状態監視装置に係わり、特に火災検知機等の各種センサーの接点の開閉状態を検出することができる個別接点状態監視装置に関する。
【０００２】
【従来の技術】
従来から、この種の個別接点状態監視装置として、図６に示すような構成のものが知られている。（例えば、特許文献１参照）
この個別接点状態監視装置は、各種センサーの接点ｓ１、ｓ２、・・・ｓｎの開閉状態を検出する受信回路１０を備えており、この受信回路１０は、各接点ｓ１、ｓ２、・・・ｓｎにそれぞれ伝送線路Ｌ１、Ｌ２、・・・Ｌｎを介して個別に接続される検出回路ＤＣ１、ＤＣ２、・・・ＤＣｎと、アプリケーションを実行するためのＣＰＵ１００とを備えている。
【０００３】
このような構成の個別接点状態監視装置においては、各接点ｓ１、ｓ２、・・・ｓｎの開閉状態がそれぞれ各検出回路ＤＣ１、ＤＣ２、・・・ＤＣｎで検出され、この検出信号がＣＰＵ１００へ伝送されることから、各接点ｓ１、ｓ２、・・・ｓｎの開閉状態を検出することができる。
【０００４】
【特許文献１】特開平１１−１１２３１０号公報  （段落番号「０００２」、図７）
【０００５】
【発明が解決しようとする課題】
しかしながら、このような構成の個別接点状態監視装置においては、接点の個数に比例して伝送線路や検出回路が増加する上、各接点と接続するための端子も増加し、ひいては部品点数や配線材などが増加し、これらの部材を収容するためのスペースも大きくなり、コスト的にも割高になるという難点があった。
【０００６】
本発明は、このような個別接点状態監視装置の難点を解決するためになされたもので、部品点数および配線材を少なくし、ひいては省スペース化および低コスト化を図ることができる個別接点状態監視装置を提供することを目的とする。
【０００７】
【課題を解決するための手段】
上記の目的を達成するため、本発明の個別接点状態監視装置は、第１の印加電圧で閉じる第１の電子スイッチおよび第２の印加電圧で開く第２の電子スイッチを直列接続したスイッチ回路並びに火災検知器等の各種センサーの状態を表す接点を直列に接続した複数の複合回路を１対の伝送線路に並列に接続し、伝送線路には、第１、第２の印加電圧を発生する電圧発生回路と、伝送線路に流れる電流を測定する電流検出回路と、電圧発生回路および電流検出回路に同期して接点の開閉状態を検出する接点状態検出回路とで構成された受信回路が接続されている。
【０００８】
また、本発明の個別接点状態監視装置は、スイッチ回路に個別にダイオードを正接続および逆接続したスイッチ・ダイオード回路を用いて印加電圧に対して極性を持たせて伝送線路に接続し、接続できる接点数が２倍にされている。
【０００９】
また、本発明の個別接点状態監視装置は、接点に抵抗を並列に接続し、接点までの伝送線路の回線障害を確認する機能を有している。
【００１０】
また、本発明の個別接点状態監視装置は、スイッチ・ダイオード回路のうち同一特性の回路を複数個接続してグループ化し、接点として火災検知器等の複数個のセンサーをグループ化された同一特性の回路に接続されている。
【００１１】
また、本発明の個別接点状態監視装置は、第１の印加電圧で閉じる第１の電子スイッチおよび第２の印加電圧で開く第２の電子スイッチを直列接続したスイッチ回路を１対の伝送線路に並列に接続し、伝送線路には、第１、第２の印加電圧を発生する電圧発生回路と、伝送線路に流れる電流を測定する電流検出回路と、電圧発生回路および電流検出回路に同期してスイッチ回路の開閉状態を設定する接点状態設定回路とで構成された受信回路が接続されている。
【００１２】
本発明の個別接点状態監視装置によれば、接点の個数と無関係に１対の伝送線路のみで接点の開閉状態を検出することができることから、部品点数および配線材を少なくし、ひいては省スペース化および低コスト化を図ることができる。
【００１３】
【発明の実態の形態】
以下、本発明の個別接点状態監視装置の好ましい実施の形態例について、図面を参照して詳述する。ここで、図１（ａ）は、本発明の第１の実施例における個別接点状態監視装置の回路図、図１（ｂ）は、同実施例における第１の印加電圧で閉じる電子スイッチおよび第２の印加電圧で開く電子スイッチの回路図を示している。
【００１４】
図１（ａ）において、本発明の個別接点状態監視装置は、火災検知器等の各種センサーの状態を表す接点Ｓ１、Ｓ２、・・・Ｓｎ（以下、Ｓ１を「第１の接点Ｓ１」、Ｓ２を「第２の接点Ｓ２」、Ｓｎを「第ｎの接点Ｓｎ」という。）を有する複数の複合回路Ｈ１、Ｈ２、・・・Ｈｎ（以下、Ｈ１を「第１の複合回路Ｈ１」、Ｈ２を「第２の複合回路Ｈ２」、Ｈｎを「第ｎの複合回路Ｈｎ」という。）と、複合回路Ｈ１、Ｈ２、・・・Ｈｎからの検出信号を受信する受信回路１とを備えており、これらの各複合回路Ｈ１、Ｈ２、・・・Ｈｎは、１対の伝送線路Ｌを介して受信回路１に並列に接続されている。
【００１５】
各複合回路Ｈ１、Ｈ２、・・・Ｈｎは、それぞれ同様の構成とされ、それぞれ接点Ｓ１、Ｓ２、・・・Ｓｎと、対応する接点Ｓ１、Ｓ２、・・・Ｓｎにそれぞれ直列に接続されるスイッチ回路Ｋ１、Ｋ２、・・・Ｋｎ（以下、Ｋ１を「第１のスイッチ回路Ｋ１」、Ｋ２を「第２のスイッチ回路Ｋ２」、Ｋｎを「第ｎのスイッチ回路Ｋｎ」という。）とを備えており、また、受信回路１は、後述する第１の印加電圧Ｖ１ａ、Ｖ２ａ、・・・Ｖｎａおよび第２の印加電圧Ｖ１ｂ、Ｖ２ｂ、・・・Ｖｎｂを段階的に発生する電圧発生回路１１と、伝送線路Ｌに流れる電流を測定する電流検出回路１２と、電圧発生回路１１および電流検出回路１２に同期して接点Ｓ１、Ｓ２、・・・Ｓｎの開閉状態を検出する接点状態検出回路１３とを備えている。
【００１６】
各スイッチ回路Ｋ１、Ｋ２、・・・Ｋｎは、それぞれ同様の構成とされ、図１（ｂ）に示すように、第１の印加電圧Ｖ１ａ、Ｖ２ａ、・・・Ｖｎａで閉じる第１の電子スイッチＥ１ａ、Ｅ２ａ、・・・Ｅｎａと、対応する電子スイッチＥ１ａ、Ｅ２ａ、・・・Ｅｎａにそれぞれ直列に接続され、第２の印加電圧Ｖ１ｂ、Ｖ２ｂ、・・・Ｖｎｂで開く第２の電子スイッチＥ１ｂ、Ｅ２ｂ、・・・Ｅｎｂとを備えている（Ｖ１ａ＜Ｖ１ｂ＜Ｖ２ａ＜Ｖ２ｂ＜・・・Ｖｎａ＜Ｖｎｂ）。ここで、電圧発生回路１１の高圧側は、電流検出回路１２を介して伝送線路Ｌの一方（以下「高圧側の伝送線路Ｌａ」という。）に接続され、低圧側は伝送線路Ｌの他方（以下「低圧側の伝送線路Ｌｂ」という。）に接続されている。また、電圧発生回路１１と電流検出回路１２との間には接点状態検出回路１３が並列に接続されている。
【００１７】
次に、このような構成の個別接点状態監視装置を用いて、各接点Ｓ１、Ｓ２、・・・Ｓｎの開閉状態を検出する方法について説明する。
【００１８】
先ず、第１の印加電圧Ｖ１ａ、Ｖ２ａ、・・・Ｖｎａを１［Ｖ］、３［Ｖ］、５［Ｖ］、・・・ｎ［Ｖ］のように２［Ｖ］単位で上昇する奇数次の電圧とし、また、第２の印加電圧Ｖ１ｂ、Ｖ２ｂ、・・・Ｖｎｂを、２［Ｖ］、４［Ｖ］、６［Ｖ］、・・・ｎ＋１［Ｖ］のように２［Ｖ］単位で上昇する偶数次の電圧とし、さらに、電圧発生回路１１からは、２［Ｖ］単位で１．５［Ｖ］、３．５［Ｖ］、５．５［Ｖ］、・・・のように段階的に上昇する直流電圧が発生し、この直流電圧が１対の伝送線路Ｌに印加されているものとする。
【００１９】
今、図１（ｂ）に示すように、各スイッチ回路Ｋ１、Ｋ２、・・・Ｋｎにおける第１の電子スイッチＥ１ａ、Ｅ２ａ、・・・Ｅｎａが開き、第２の電子スイッチＥ１ｂ、Ｅ２ｂ、・・・Ｅｎｂが閉じているものとすると、各スイッチ回路Ｋ１、Ｋ２、・・・Ｋｎが開いていることになるから、伝送線路Ｌに対して電流が流れず、ひいては電流検出回路１２において電流が検出されないことになる。
【００２０】
次に、電圧発生回路１１からの電圧が１．５［Ｖ］になり、この電圧が伝送線路Ｌに印加されると、第１のスイッチ回路Ｋ１を構成する第１の電子スイッチＥ１ａがＯＮ動作し、これにより第１のスイッチ回路Ｋ１が閉じられることになる。従って、この状態において、第１の接点Ｓ１が閉じている場合は、伝送線路Ｌに対して所定の電流が流れ、この電流が電流検出回路１２で検出されることになる。そして、電流検出回路１２において電流が検出されると、電流検出回路１２から接点状態検出回路１３に対して検出信号が伝送され、ひいては、接点状態検出回路１３において、第１の複合回路Ｈ１を構成する第１の接点Ｓ１が閉じている状態にあることが確認される。
【００２１】
一方、第１の接点Ｓ１が開いている場合は、伝送線路Ｌに対して電流が流れないことから電流検出回路１２で電流が検出されないことになる。従って、この場合は、電流検出回路１２から接点状態検出回路１３に対して検出信号が伝送されず、ひいては、接点状態検出回路１３において、第１の接点Ｓ１が開いている状態にあることが確認される。
【００２２】
続いて、電圧発生回路１１からの電圧が３．５［Ｖ］になり、この電圧が伝送線路Ｌに印加されると、第１のスイッチ回路Ｋ１を構成する第２の電子スイッチＥ１ｂがＯＦＦ動作し、第１のスイッチ回路Ｋ１が開かれ、第２のスイッチ回路Ｋ２を構成する第１の電子スイッチＥ２ａがＯＮ動作し、これにより第２のスイッチ回路Ｋ２が閉じられることになる。従って、この状態において、第２の接点Ｓ２が閉じている場合は、前述の第１の接点Ｓ１の場合と同様に、電流検出回路１２において電流が検出され、電流検出回路１２から接点状態検出回路１３に対して検出信号が伝送され、ひいては、接点状態検出回路１３において、第２の複合回路Ｈ２を構成する第２の接点Ｓ２が閉じている状態にあることが確認される。また、この状態において、第２の接点Ｓ２が開いている場合は、前述の第１の接点Ｓ１の場合と同様に、電流検出回路１２において電流が検出されず、ひいては電流検出回路１２から接点状態検出回路１３に対して検出信号が伝送されないことから、接点状態検出回路１３において、第２の複合回路Ｈ２を構成する第２の接点Ｓ２が開いている状態にあることが確認される。
【００２３】
以下、電圧発生回路１１からの電圧が段階的に２［Ｖ］ずつ昇圧され、２ｎ−０．５［Ｖ］の電圧が伝送線路Ｌに印加されると、第（ｎ−１）のスイッチ回路Ｋ（ｎ−１）を構成する第２の電子スイッチＥ（ｎ−１）ｂがＯＦＦ動作し、第（ｎ−１）のスイッチ回路Ｋ（ｎ−１）が開かれ、第ｎのスイッチ回路Ｋｎを構成する第１の電子スイッチＥｎａがＯＮ動作して第ｎのスイッチ回路Ｋｎが閉じられる。これにより、前述と同様にして、第ｎの接点Ｓｎの開閉状態を検出することができる。
【００２４】
図２は、本発明の第２の実施例における個別接点状態監視装置の回路図を示している。なお、同図において、図１と共通する部分には同一の符号を付して詳細な説明を省略する。
【００２５】
第２の実施例においては、図１に示すスイッチ回路Ｋ１、Ｋ２、・・・Ｋｎのうち第１〜第ｎ／２のスイッチ回路Ｋ１、Ｋ２、・・・Ｋｎ／２にダイオードＤ１、Ｄ２、・・・Ｄｎ／２が個別に正接続されたスイッチ・ダイオード回路Ｍ１、Ｍ２、・・・Ｍｎ／２（以下「正スイッチ・ダイオード回路Ｍ１、Ｍ２、・・・Ｍｎ／２」という。）、第（ｎ／２＋１）〜第ｎのスイッチ回路Ｋ（ｎ／２＋１）、Ｋ（ｎ／２＋２）、・・・ＫｎにダイオードＤ（ｎ／２＋１）、Ｄ（ｎ／２＋２）、・・・Ｄｎが個別に逆接続されたスイッチ・ダイオード回路−Ｍ１、−Ｍ２、・・・−Ｍｎ／２（以下「逆スイッチ・ダイオード回路−Ｍ１、−Ｍ２、・・・−Ｍｎ／２」という。）で構成されている。ここで、各正スイッチ・ダイオード回路Ｍ１、Ｍ２、・・・Ｍｎ／２はそれぞれ同様の構成とされ、また各逆スイッチ・ダイオード回路−Ｍ１、−Ｍ２、・・・−Ｍｎ／２もそれぞれ同様の構成とされている。
【００２６】
第１の正スイッチ・ダイオード回路Ｍ１は、図３（ａ）に示すように、高圧側の伝送線路Ｌａに正接続された第１のダイオードＤ１と、この第１のダイオードＤ１の出力側と低圧側の伝送線路Ｌｂ間に並列に接続されたＯＮ回路２ａおよびＯＦＦ回路２ｂを有しており、ＯＮ回路２ａは第１の印加電圧Ｖ１ａ、Ｖ２ａ、・・・Ｖｎａで閉じる第１の電子スイッチＥ１ａ、Ｅ２ａ、・・・Ｅｎａと同様の機能を、ＯＦＦ回路２ｂは第２の印加電圧Ｖ１ｂ、Ｖ２ｂ、・・・Ｖｎｂで開く第２の電子スイッチＥ１ｂ、Ｅ２ｂ、・・・Ｅｎｂと同様の機能を備えている。
【００２７】
ＯＮ回路２ａは、ＭＯＳ型ＦＥＴなどから成る第１のトランジスタＴＲ１を備えており、この第１のトランジスタＴＲ１のドレインＤは第１の抵抗器Ｒａを介して高圧側の伝送線路Ｌａに接続され、ソースＳは低圧側の伝送線路Ｌｂに接続されている。また、第１のトランジスタＴＲ１のゲートＧは第２の抵抗器Ｒｂを介して高圧側の伝送線路Ｌａに、第３の抵抗器Ｒｃを介して低圧側の伝送線路Ｌｂに接続されている。さらに、第１のトランジスタＴＲ１のドレインＤと、低圧側の伝送線路Ｌｂ間には出力端子ＯＴが接続され、この出力端子ＯＴにはＬＥＤ（不図示）などが配設されている。ここで、第２、第３の抵抗器Ｒｂ、Ｒｃは、第１のトランジスタＴＲ１にかかるバイアスの値を設定するためのもので、１対の伝送線路Ｌに第１の印加電圧Ｖ１ａ、Ｖ２ａ、・・・Ｖｎａが印加されたときに第１のトランジスタＴＲ１がＯＮ動作するようにそれぞれ予め適当な値に設定されている。
【００２８】
ＯＦＦ回路２ｂは、ＭＯＳ型ＦＥＴなどから成る第２のトランジスタＴＲ２を備えており、この第２のトランジスタＴＲ２のドレインＤは第１のトランジスタＴＲ１のゲートＧに、ソースＳは低圧側の伝送線路Ｌｂに接続されている。また、第２のトランジスタＴＲ２のゲートＧは第４の抵抗器Ｒｄを介して高圧側の伝送線路Ｌａに、第５の抵抗器Ｒｅを介して低圧側の伝送線路Ｌｂに接続されている。ここで、第４、第５の抵抗器Ｒｄ、Ｒｅは、第２のトランジスタＴＲ２にかかるバイアスの値を設定するためのもので、１対の伝送線路Ｌに第２の印加電圧Ｖ１ｂ、Ｖ２ｂ、・・・Ｖｎｂが印加されたときに第２のトランジスタＴＲ２がＯＦＦ動作するようにそれぞれ予め適当な値に設定されている。
【００２９】
第１の逆スイッチ・ダイオード回路−Ｍ１は、図３（ｂ）に示すように、高圧側の伝送線路Ｌａに対して第１のダイオードＤ１が逆接続される点を除いて、図３（ａ）に示す第１の正スイッチ・ダイオード回路Ｍ１と同様の構成とされている。
【００３０】
このような構成の個別接点状態監視装置において、１対の伝送線路Ｌに対して第１の印加電圧Ｖ１ａ、Ｖ２ａ、・・・Ｖｎａが印加されると、第１の電子スイッチＥ１ａ、Ｅ２ａ、・・・Ｅｎａと同様の機能を有するＯＮ回路２ａが動作し、また、第２の印加電圧Ｖ１ｂ、Ｖ２ｂ、・・・Ｖｎｂが印加されると、第２の電子スイッチＥ１ｂ、Ｅ２ｂ、・・・Ｅｎｂと同様の機能を有するＯＦＦ回路２ｂが動作することから、第１の実施例と同様に、スイッチ回路Ｋ１、Ｋ２、・・・Ｋｎを開閉することができ、ひいては各接点Ｓ１、Ｓ２、・・・Ｓｎの開閉状態を検出することができる。また、第２の実施例においては、スイッチ・ダイオード回路を用いて印加電圧に対して極性を持たせて１対の伝送線路Ｌに接続することができることから、第１の実施例と比較すれば、スイッチ回路の接続できる接点数を２倍に増加させることができる。なお、第２の実施例においては、同一特性のスイッチ・ダイオード回路を複数個接続してグループ化し、また、接点として火災検知器やガス検知器等の複数個のセンサーをグループ化された同一特性の回路に接続してもよい。
【００３１】
図４は、本発明の第３の実施例における個別接点状態監視装置の回路図を示している。なお、同図において、図１と共通する部分には同一の符号を付して詳細な説明を省略する。
【００３２】
第３の実施例においては、図１に示す各接点Ｓ１、Ｓ２、・・・Ｓｎにそれぞれ抵抗Ｒ１、Ｒ２、・・・Ｒｎ（以下、Ｒ１を「第１の抵抗Ｒ１」、Ｒ２を「第２の抵抗Ｒ２」、Ｓｎを「第ｎの抵抗Ｒｎ」という。）が並列に接続されている。
【００３３】
このような構成の個別接点状態監視装置において、例えば、第１のスイッチ回路Ｋ１を構成する第１の電子スイッチＥ１ａ、Ｅ２ａ、・・・Ｅｎａ（図１（ｂ）参照）および第２の電子スイッチＥ１ｂ、Ｅ２ｂ、・・・Ｅｎｂ（図１（ｂ）参照）が共に閉じている状態において、第１の接点Ｓ１が閉じていると、第１の接点Ｓ１を介して伝送線路Ｌに所定の電流（以下「第１の電流Ｉａ」という。）が流れ、また、第１の接点Ｓ１が開いていると、伝送線路Ｌに第１の抵抗Ｒ１を介して第１の電流Ｉａよりも少ない値の電流（以下「第２の電流Ｉｂ」という。）が流れることになる。次に、伝送線路Ｌや第１のスイッチ回路Ｋ１などに短絡障害があると、電流検出回路１２で第１の電流Ｉａよりも大きな値の電流（以下「第３の電流Ｉｃ」という。）が検出されることになり、また、伝送線路Ｌや第１のスイッチ回路Ｋ１などに断線障害があると、電流検出回路１２において電流が検出されないことになる。
【００３４】
従って、第３の実施例においては、伝送線路Ｌに流れる電流の大きさを検出することにより、第１の実施例と同様に、各接点Ｓ１、Ｓ２、・・・Ｓｎの開閉状態を検出することができる上、各接点Ｓ１、Ｓ２、・・・Ｓｎまでの伝送線路Ｌの回線障害（断線や短絡）を確認することができる。なお、この実施例においては、図１に示す各接点Ｓ１、Ｓ２、・・・Ｓｎに各抵抗Ｒ１、Ｒ２、・・・Ｒｎをそれぞれ並列に接続した場合について述べているが、図２に示す各接点Ｓ１、Ｓ２、・・・Ｓｎに各抵抗Ｒ１、Ｒ２、・・・Ｒｎをそれぞれ並列に接続しても、第３の実施例と同様に、各接点Ｓ１、Ｓ２、・・・Ｓｎの開閉状態を検出することができ、また、各接点Ｓ１、Ｓ２、・・・Ｓｎまでの伝送線路Ｌの回線障害を確認することができる。
【００３５】
図５は、本発明の第４の実施例における個別接点状態監視装置の回路図を示している。なお、同図において、図２と共通する部分には同一の符号を付して詳細な説明を省略する。
【００３６】
第４の実施例においては、図２に示す接点状態検出回路１３を有する受信回路１に代えて、電圧発生回路１１および電流検出回路１２に同期して接点Ｓ１、Ｓ２、・・・Ｓｎの開閉状態を設定する接点状態設定回路１３ａを有する受信回路１ａが接続されている。
【００３７】
この実施例においては、１対の伝送線路Ｌに対して第１の印加電圧Ｖ１ａ、Ｖ２ａ、・・・Ｖｎａが印加されると、ＯＮ回路２ａ（図３（ａ）参照）がＯＮ動作すると共に出力端子ＯＴ（図３（ａ）参照）に配設されたＬＥＤなどが点灯するように設定され、また、第２の印加電圧Ｖ１ｂ、Ｖ２ｂ、・・・Ｖｎｂが印加されると、ＯＦＦ回路２ｂ（図３（ａ）参照）がＯＦＦ動作すると共に出力端子ＯＴに配設されたＬＥＤなどが点灯するように設定されている。
【００３８】
従って、第４の実施例においては、伝送線路Ｌに印加される電圧で当該電圧に対応するスイッチ回路のＯＮ回路２ａおよびＯＦＦ回路２ｂを動作させ、ひいては当該スイッチ回路の出力端子ＯＴにおけるＬＥＤを点灯させることができることから、接点状態設定回路１３ａにおいて任意の出力端子ＯＴのＯＮ／ＯＦＦを行うことができる。
【００３９】
【発明の効果】
以上の説明から明らかなように、本発明の個別接点状態監視装置によれば、接点の個数と無関係に１対の伝送線路のみで接点の開閉状態を検出することができることから、部品点数および配線材を少なくし、ひいては省スペース化および低コスト化を図ることができる。
【図面の簡単な説明】
【図１】図１（ａ）は本発明の第１の実施例における個別接点状態監視装置の回路図、図１（ｂ）は同実施例における第１の印加電圧で閉じる電子スイッチおよび第２の印加電圧で開く電子スイッチの回路図。
【図２】本発明の第２の実施例における個別接点状態監視装置の回路図。
【図３】図３（ａ）は第２の実施例における第１の正スイッチ・ダイオード回路の回路図、図３（ｂ）は同実施例における第１の逆スイッチ・ダイオード回路の回路図。
【図４】本発明の第３の実施例における個別接点状態監視装置の回路図。
【図５】本発明の第４の実施例における個別接点状態監視装置の回路図。
【図６】従来の個別接点状態監視装置の回路図。
【符号の説明】
Ｖ１ａ、Ｖ２ａ、・・・Ｖｎａ・・・第１の印加電圧
Ｖ１ｂ、Ｖ２ｂ、・・・Ｖｎｂ・・・第２の印加電圧
Ｅ１ａ、Ｅ２ａ、・・・Ｅｎａ・・・第１の電子スイッチ
Ｅ１ｂ、Ｅ２ｂ、・・・Ｅｎｂ・・・第２の電子スイッチ
Ｋ１、Ｋ２、・・・Ｋｎ・・・スイッチ回路
Ｓ１、Ｓ２、・・・Ｓｎ・・・接点
Ｈ１、Ｈ２、・・・Ｈｎ・・・複合回路
Ｌ・・・伝送線路
１・・・受信回路
１ａ・・・受信回路
１１・・・電圧発生回路
１２・・・電流検出回路
１３・・・接点状態検出回路
１３ａ・・・接点状態設定回路
Ｄ１、Ｄ２、・・・Ｄｎ・・・ダイオード
Ｍ１、Ｍ２、・・・Ｍｎ／２・・・スイッチ・ダイオード回路
（正スイッチ・ダイオード回路）
−Ｍ１、−Ｍ２、・・・−Ｍｎ／２・・・スイッチ・ダイオード回路
（逆スイッチ・ダイオード回路）
抵抗・・・Ｒ１、Ｒ２、・・・Ｒｎ
【図１】
2004234247.tif 000003
【図２】
2004234247.tif 000004
【図３】
2004234247.tif 000005
【図４】
2004234247.tif 000006
【図５】
2004234247.tif 000007
【図６】
2004234247.tif 000008